Podtech/llm-jp-corpus-v4-ja_patent huggingface dataset:
(57)【要約】      （修正有）【課題】携帯電話の文字入力をスムーズに行なえるようにする。【解決手段】１０（テン）キーによる文字入力をローマ字方式で行うことによりスムーズな文字入力を可能にする。１０の各キーに２つの英字を割り当て、シフトキーでいずれの英字を入力するかを切り替える。これにより２０種の英数字を入力でき、ローマ字方式で５０音カナを入力する。【選択図】図１
2009146372.tif 000002
【特許請求の範囲】
【請求項１】
携帯電話等の１０（テン）キーによる文字入力をローマ字方式で行う
【発明の詳細な説明】
【技術分野】
【０００１】この発明は、携帯電話等の１０（テン）キーによる文字入力に関する。
【背景技術】
【０００２】従来の携帯電話の文字入力には、かな方式と２タッチ方式があります。
かな方式は、入力したい文字を選ぶために同じキーを何度も押さなければならない、また２タッチ方式は、２桁の数字を使用して文字入力を行うもので、複雑な変換コードを覚えなければならない、という問題がありました。
【発明の開示】
【発明が解決しようとする課題】
【０００３】本発明は、以上述べた従来の携帯電話の問題を解決しようとするものであり、スムーズな文字入力を可能にすることを目的とするものである。
【課題を解決するための手段】
【０００４】そして、本発明は上記目的を達成するために携帯電話等の１０（テン）キーによる文字入力をローマ字方式で行う。
【発明の効果】
【０００５】文字入力をローマ字方式で行うことによりスムーズな文字入力が出来るようになる。
【発明を実施するための最良の形態】
【０００６】以下、本発明の実施の形態を説明する。【０００７】ローマ字方式に使用する１０（テン）キーのキーアレンジは図１の通りです。
１０（テン）キーに上段と下段合わせて２０のアルファベットをアサインし、Ｓｈｉｆｔ（シフト）キーにより切替えて使用する。
Ｓｈｉｆｔ（シフト）キーを押すと次に入力する一文字が上段に表示する文字になる。【０００８】文字入力は図２のローマ字入力一覧表の通り行います。【０００９】文字入力例
ほんじつはせいてんなり
ＨＯ  ＮＮ  ＳｈｉｆｔＺＩ  ＴＵ  ＨＡ  ＳＥ  Ｉ  ＴＥ  ＮＮ  ＮＡ  ＳｈｉｆｔＲＩ
【図面の簡単な説明】
【００１０】
【図１】１０（テン）キーのキーアレンジ
【図２】ローマ字入力一覧表
【図１】
2009146372.tif 000003
【図２】
2009146372.tif 000004
2009146372.tif 000005
【手続補正書】
【提出日】平成19年12月21日(2007.12.21)
【手続補正１】
【補正対象書類名】明細書
【補正対象項目名】０００５
【補正方法】変更
【補正の内容】
【０００５】文字入力をローマ字方式で行うことによりパソコン並みのスムーズな文字入力が可能になる。
【手続補正２】
【補正対象書類名】明細書
【補正対象項目名】０００７
【補正方法】変更
【補正の内容】
【０００７】ローマ字方式に使用する１０（テン）キーのキーアレンジは図１の通りです。
１０（テン）キーに上段と下段合わせて２０のローマ字入力に必要なアルファベットをアサインし、Ｓｈｉｆｔ（シフト）キーにより切替えて使用する。
Ｓｈｉｆｔ（シフト）キーを押すと次に入力する一文字が上段に表示する文字になる。
また、Ｓｈｉｆｔ（シフト）キーを２度押すことにより残りのアルファベット等を選択することも出来る。
【手続補正３】
【補正対象書類名】図面
【補正対象項目名】図２
【補正方法】変更
【補正の内容】
【図２】
2009146372.tif 000006
【手続補正書】
【提出日】平成20年2月21日(2008.2.21)
【手続補正１】
【補正対象書類名】図面
【補正対象項目名】全図
【補正方法】変更
【補正の内容】
【図１】
2009146372.tif 000007
【図２】
2009146372.tif 000008
(57)【要約】【課題】高効率の発熱体にも適用できると共に、磁場振動の発生による人体への被害を防止することのできる温度制御装置及び温度制御方法を提供する。【解決手段】本発明は、直流電源を使用する発熱体１１の温度を制御するための温度制御装置１２であって、特定の周波数において発熱体１１のオンの時間とオフの時間の長さが異なるように変化させて発熱体１１の温度を制御することを特徴とする。【選択図】図１
2009146082.tif 000002
【特許請求の範囲】
【請求項１】
直流電源を使用する発熱体の温度を制御するための温度制御装置であって、
特定の周波数において前記発熱体のオンの時間とオフの時間の長さが異なるように変化させて該発熱体の温度を制御することを特徴とする温度制御装置。
【請求項２】
直流電源を使用する発熱体の温度を制御するための温度制御方法であって、
特定の周波数において前記発熱体のオンの時間とオフの時間の長さが異なるように変化させて該発熱体の温度を制御することを特徴とする温度制御方法。
【発明の詳細な説明】
【技術分野】
【０００１】
本発明は、直流電源を使用する発熱体の温度を制御するための温度制御装置及び温度制御方法に関するものである。
【背景技術】
【０００２】
一般に、ニクロムヒーターやハロゲンヒーター等の発熱体には、該発熱体の温度を設定温度に制御するために温度制御装置が設けられている。
【０００３】
従来のこの種の温度制御装置としては、例えば、発熱体の抵抗に対する電流と電圧のいずれか一方又はその両方の総量を制御するものや、或いは外部に設置した温度センサーの検出温度に基づきオン・オフ制御するものや、或いはリレースイッチを使用して単位時間当りのオン・オフの回数を調整するもの等が知られている（公知・公用の従来技術に基づき発明したため、出願人は本発明に関連する先行技術文献を知らない）。
【発明の開示】
【発明が解決しようとする課題】
【０００４】
しかしながら、上記した従来の温度制御装置や温度制御方法は、図３に示すように、通電後、設定温度に達するのにある程度の時間（例えば、３秒程度）が掛かるニクロムヒーターやハロゲンヒーター等の一般の低効率の発熱体には適している。しかしながら、例えば、リレースイッチを使用して単位時間当りのオン・オフの回数を調整する方法の場合には、図４に示すように、オンの時間（ｔ１）とオフ（ｔ２）の時間が同じ時間になり、効率が５０％以上に上がることはない等の理由から、短時間（例えば、０．３秒程度）で設定温度に達するゲルマヒーター等の高効率の発熱体に、上記した従来の温度制御装置や温度制御方法を適用することができないといった問題があった。
【０００５】
また、交流電源を使用する機器による電磁波の発生問題に対応するため、近年、直流電源の機器を使用するケースもあるが、上記した従来の温度制御装置及び温度制御方法では、発熱体の電源として交流電源を使用するため、磁場振動が発生し、人体への被害が懸念されるといった安全上の問題もあった。
【０００６】
本発明は、上記した課題を解決すべくなされたものであり、高効率の発熱体にも適用できると共に、磁場振動の発生による人体への被害を防止することのできる温度制御装置及び温度制御方法を提供することを目的とするものである。
【課題を解決するための手段】
【０００７】
上記した目的を達成するため、本発明は、直流電源を使用する発熱体の温度を制御するための温度制御装置であって、特定の周波数において前記発熱体のオンの時間とオフの時間の長さが異なるように変化させて該発熱体の温度を制御することを特徴とする。
【０００８】
また、本発明は、直流電源を使用する発熱体の温度を制御するための温度制御方法であって、特定の周波数において前記発熱体のオンの時間とオフの時間の長さが異なるように変化させて該発熱体の温度を制御することを特徴とする。
【発明の効果】
【０００９】
本発明によれば、特定の周波数において発熱体のオンの時間とオフの時間の長さが異なるように変化させて該発熱体の温度を制御することにより、高効率の発熱体にも適用可能となると共に、磁場振動の発生による人体への被害を防止することができる。
【発明を実施するための最良の形態】
【００１０】
以下、図面を参照しつつ、本発明の実施の形態について説明する。
【００１１】
図１は本発明の実施の形態に係る温度制御装置を備えた発熱装置を示す平面図であり、この発熱装置１０は、ゲルマヒーター等の高効率の発熱体１１と、この発熱体１１の温度を制御するための温度制御装置１２とを備えて構成されており、発熱体１１には温度制御装置１２を介して直流電源が接続されている。
【００１２】
図２（ａ），（ｂ），（ｃ），（ｄ）に示すように、この温度制御装置１２は、特定の周波数（例えば、５０Ｈｚ又は６０Ｈｚ）において発熱体１１のオンの時間（ｔ１）とオフの時間（ｔ２）の長さが異なるように変化させて発熱体１１の温度を制御する。
【００１３】
このように、オン・オフの時間比率（ｔ１／ｔ２）、すなわち、オン・オフの面積比率を変化させることにより細かな温度制御を行うことができるようになると共に、効率を高めることができる。
【００１４】
また、発熱体１１を一般家庭で使用する５０Ｈや６０Ｈｚ程度の安全な周波数の直流電源で使用することにより、磁場振動の発生による人体への被害を確実に防止することができる。
【００１５】
なお、本発明に係る温度制御装置１２は、上記したゲルマヒーター等の高効率の発熱体への適用に限定されるものではなく、電磁調理器等の他の発熱体にも適用可能である。そして、現在大量の電磁波を発生している電磁調理器が将来、直流電源を使用するようになった際には、本発明に係る温度制御装置１２を電磁調理器に適用することにより、電磁調理器からの磁場振動の発生による人体への被害を確実に防止することができるようになる。
【図面の簡単な説明】
【００１６】
【図１】本発明の実施の形態に係る温度制御装置を備えた発熱装置を示す平面図である。
【図２】（ａ），（ｂ），（ｃ），（ｄ）はいずれも本発明の実施の形態に係る温度制御装置の作用を示す図である。
【図３】高効率発熱体と一般の発熱体の立ち上がり温度特性を示す図である。
【図４】従来の温度制御装置の作用を示す図である。
【符号の説明】
【００１７】
１０          発熱装置
１１          発熱体
１２          温度制御装置
【図１】
2009146082.tif 000003
【図２】
2009146082.tif 000004
【図３】
2009146082.tif 000005
【図４】
2009146082.tif 000006
(57)【要約】【課題】  携帯電話の着信音などで利用する着うたや着うたフル等は、原曲そのまま全部の音楽ファイルや長いフレーズの音楽ファイルしか配信しておらず、そのため容量が大きくコストがかかる。【解決手段】  ユーザーの利便性の視点に立って、原曲の中からユーザーが最も好む一部分の短いフレーズをだけを抽出した容量の小さい音楽ファイルを制作する。音楽ファイルの容量が小さいので、従来よりも利用コストは低くなって利便性が向上する上に、短いフレーズに含まれる歌詞の内容を活かして、それを着信音や効果音として利用したり、フレーズに含まれる歌詞をそのままメールの文章に用いるような形で添付ファイルとして利用するなど、今までにはない新しい音楽ファイルの利用方法も提供する。【特許請求の範囲】
【請求項１】
原曲の中から一部分のフレーズを抽出して制作した音楽ファイル
【請求項２】
請求項１に記載の音楽ファイルの利用方法
【発明の詳細な説明】
【技術分野】
【０００１】  本発明は、原曲の中から一部分のフレーズを抽出して制作した音楽ファイルとその利用方法に関する。
【背景技術】
【０００２】  着信音を設定する際、着うたや着うたフル等で配信されている音楽ファイルを利用すると、着信音が流れるのは、曲冒頭のイントロ部分からか、もしくは事業者が抽出したサビの部分のフレーズからとなってしまう。そこで、携帯電話のユーザーが、原曲の中から好みのフレーズ部分だけを抽出して着信音に設定したいと思っても、現在そのような音楽ファイルは制作されておらず、配信もされていない。また、原曲を元に、音楽ソフトウェアなどを使って自ら制作するにしても、大変な労力と手間がかかってしまう。
【発明の開示】
【発明が解決しようとする課題】
【０００３】  着信音を設定する際、着うたや着うたフル等で配信されている音楽ファイルを利用すると、ユーザーが最も聞きたい部分のフレーズだけでなく、必要以上に長いフレーズの音楽ファイルが配信されてしまう。しかも、データの容量が大きいために、その分、データのダウンロード、利用、保存にコストがかかってしまう。
【課題を解決するための手段】
【０００４】  本発明は、原曲の中から一部分の短いフレーズを抽出した、容量の小さい音楽ファイルを制作することによってユーザーの利用コストを下げ、また、短いフレーズの特性を活かして、様々な音源としての利用方法を提供するものである。
【発明の効果】
【０００５】  原曲の中から一部分のフレーズを抽出して制作した音楽ファイルは、携帯電話の着信音やテレビ電話着信音、メール着信音などといった着信音として利用できることは勿論、保留音や目覚し音、メロディコールなどといった効果音の音源としても利用できる。また、着うた、着うたフルなどで配信されている音楽ファイルと比較すると、短いフレーズだけを抽出したデータ容量が小さい音楽ファイルなので、歌詞の内容を活かした新たな利用方法が提供できる。例えば、送受信メールの添付ファイルにして音楽ファイルに含まれる歌詞をそのままメールの文章に利用したり、歌詞の内容を活かして効果音に利用することなども可能となる。つまり、従来の音楽ファイルよりも用途の幅が広がり、新たなコミュニケーションツールにもなる。また曲によっては、１つの原曲から複数のフレーズを抽出することができるし、ユーザーのニーズに合わせて抽出するフレーズの長さも様々にアレンジが可能なので、１つの原曲から、多様な音楽ファイルの制作が可能になる。そして、演歌や過去の古い年代の曲などにも需要の拡大が見込まれ、その結果、音楽の市場において、新しいマーケットを創出することが可能となる。
【発明を実施するための最良の形態】
【０００６】  ユーザーの利便性の視点に立ち、歌詞に特徴があるフレーズなど、原曲の中から抽出するフレーズの候補をピックアップする。著作権の使用許可を得た上で、原曲の中から一部分のフレーズを抽出した音楽ファイルを制作する。音楽ファイルの配信が可能なサイトなどを立ち上げる。携帯電話やパソコンのユーザーは音楽ファイルが入手できるサイトへのアクセス、ダウンロード等を通して音楽ファイルを入手する。入手した音楽ファイルは、上述のように着信音や目覚し音、メロディコールなどの効果音の音源、メールの添付ファイル等に利用する。
【実施例】
【０００７】  携帯電話やパソコンのユーザーは、一部分のフレーズを抽出して制作した音楽ファイルを着信音や効果音の音源、送受信メールの添付ファイル等に利用する。以下、具体的な実施例を列挙する。
【実施例１】
【０００８】  アニメ、ガッチャマンの歌の一部分、“誰だ、誰だ、誰だ”のフレーズを抽出した音楽ファイルを制作。ユーザーは、携帯電話の着信音として利用。自分の電話帳にデータ登録がない人から電話がかかってきたときの着信音に設定する。
【実施例２】
【０００９】  唄：あみん、曲名：待つわ、の一部分、“私、待つわ、いつまでも待つわ”のフレーズを抽出した音楽ファイルを制作。ユーザーは、携帯電話からメールを送る際の添付ファイルとして使用。待合わせに遅れている相手に対して送信する。
【実施例３】
【００１０】  唄：ヒロシ＆みゆき、曲名：男と女のラブゲーム、の一部分、“飲みすぎたのは、あなたのせいよ”のフレーズを抽出した音楽ファイルを制作。二日酔いの日の朝、女性ユーザーは、相手の男性に対し、携帯電話からメールを送る際の添付ファイルとして使用。
【実施例４】
【００１１】  唄：西城秀樹、曲名：ギャランドゥ、の一部分“くやしいけれど、お前に夢中”のフレーズを抽出した音楽ファイルを制作。ユーザーは、携帯電話からメールを送る際の添付ファイルとして使用。音楽ファイル“くやしいけれど、お前に夢中”を、恋文的に利用する。
【実施例５】
【００１２】  唄：工藤静香、曲名：くちびるから媚薬、の一部分“ちょっと待ってよねぇ”のフレーズを抽出した音楽ファイルを制作。ユーザーは、通話待ちの間に流れるメロディコールに設定。電話をかけた相手は、“ちょっと待ってよねぇ”というフレーズを聞きながら、電話が通じるのを待つ。
【実施例６】
【００１３】  曲の冒頭のイントロの部分を抽出した音楽ファイルを制作。ユーザーは、携帯電話からメールを送る際の添付ファイルとして使用。過去に放送されたテレビ番組、クイズイントロボン、のような形の遊び感覚で音楽ファイルを利用する。
(57)【要約】      （修正有）【課題】  炭素分から鉄粉になる。鉄分から金になる【解決手段】窒素気圧下で炭素粉に白色レーザーを照射して鉄粉にする。また、鉄粉をエチルアルコール中でＩＲ（インファーレッド）を照射して金塊にする。【選択図】図１
2009303468.tif 000002
【特許請求の範囲】
【請求項１】
窒素気圧下中で炭素粉を白色レーザーで照射すると鉄分になる。
【請求項２】
鉄分をエチルアルコール中でＩＲ（インファーレッド）で照射すると金塊になる。
【発明の詳細な説明】
【技術分野】
【０００１】  遷移化学
【背景技術】
【０００２】
【特許文献１】
【特許文献２】
【非特許文献１】
【非特許文献２】
【発明の開示】
【発明が解決しようとする課題】
【・・・・】
【課題を解決するための手段】
【・・・・】
2009303468.tif 000003
2009303468.tif 000004
【手続補正書】
【提出日】平成20年10月8日(2008.10.8)
【手続補正１】
【補正対象書類名】明細書
【補正対象項目名】全文
【補正方法】変更
【補正の内容】
【発明の詳細な説明】
【技術分野】
【０００１】遷移化学
【背景技術】
【０００２】
【特許文献１】
【特許文献２】
【非特許文献１】
【非特許文献２】
【発明の開示】
【発明が解決しようとする課題】
【・・・・】
【課題を解決するための手段】
【・・・・】
【図面の簡単な説明】
【図１】は断面図（炭素から鉄）を表す図である。
【図２】は断面図（鉄から金）を表す図である。
【手続補正２】
【補正対象書類名】図面
【補正対象項目名】全図
【補正方法】変更
【補正の内容】
【図１】
2009303468.tif 000005
【図２】
2009303468.tif 000006
(57)【要約】【課題】従来ダイヤモンドダストを机上で生成観察するにはマイナス２０℃内外の箱内に呼気を吹き入れ霧を作りその中でエアーキャップをつぶして浮遊氷晶を作り懐中電灯などの光をあて氷晶の反射、屈折で氷の輝きを観察したが観察範囲が狭く、濃度が薄く、短時間の観察時間が短かった。【解決手段】ダイヤモンドダストの観察範囲、濃度、観察時間の欠点を補うために内面黒色断熱素材の箱に投光器を装着し、箱内にメタノール或いはエタノールを接触させて寒剤効果を作るドライアイス収容部を設ける。蓋は内面黒色で内部観察用の窓を設け、窓には拡大鏡を装着する。蓋には空気吹き入れ用の小孔を開ける。箱を蓋で密閉し箱内温度をマイナス２０℃内外に保ち蓋の小穴から空気ポンプで空気を吹き込む。空気中の水蒸気が氷の結晶にになって箱内に浮遊する。この現象はダイヤモンドダストである。蓋の拡大鏡を通じて観察する。拡大鏡は氷晶を成長させ輝きの美しさを増大する効果を上げる。【選択図】図２
2009300984.tif 000002
【特許請求の範囲】
【請求項１】
断熱素材の内面黒色の箱で側面に投光器を装着する開口部を有し、箱内を照光する投光器を備え、箱内に黒色金網で区切られたドライアイス収容部を設け、断熱素材の蓋は裏面黒色で空気ポンプから空気を吹き込む小孔と、拡大鏡装着の内部観察用窓を設けたことを特徴とするダイヤモンドダスト生成観察器。
【発明の詳細な説明】
【技術分野】
【０００１】  本発明はダイヤモンドダストを生成観察する器具に関する。
【背景技術】
【０００２】  従来ダイヤモンドダストを机上実験的に生成観察するにはマイナス２０度内外の低温空気を箱内に貯留し、呼気を吹き入れ霧となし、其の中で緩衝材に用いられるエアーキャップをつぶして断熱膨張の急激な温度低下の中で氷晶を生成させて懐中電灯の光をあてて、ダイヤモンドダストを観察した。生成されるダイヤモンドダストの範囲が狭く濃度が薄く持続時間は短かった。
【発明の開示】
【発明が解決しようとする課題】
【０００３】  ダイヤモンドダスト生成観察の方法は従来机上実験的にはマイナス２０度内外の低温空気を箱内に満たし、これに呼気を吹き入れ霧となして貯留し、其の中で緩衝材に用いられるエアーキャップをつぶして、断熱膨張の急激な温度低下を起こしその中に氷晶を生成させ、懐中電灯の光を当てて生成したダイヤモンドダストを観察したが生成されたダイヤモンドダストは範囲が狭く、濃度が薄く、持続時間は短かった。このダイヤモンドダストの範囲を広げ、濃度を上げ、持続時間を延長し、より明瞭な観察を可能にすることである。
【課題を解決するための手段】
【０００４】  ダイヤモンドダスト生成観察する課題を解決するための手段に次の器具を構成した。器具は内面つや消し黒色の断熱素材暗箱、及び裏面つや消し黒色断熱素材の蓋と、暗箱内部に黒色金網と、金網を固定する張り出しとで、ドライアイスを収容する部を設け、暗箱側面に投光器設置用開口部を設けた。蓋には空気ポンプからの空気吹き込み用の孔と、観察用窓を設けてある。暗箱の開口部に暗箱内に光を投ずる投光器を装着し、別に備えた空気ポンプの空気吹き出し口を細くした差し込み口を、空気吹き込み孔に装着し、観察用窓に拡大用凸レンズを装着する。暗箱の中にドライアイスを入れ蓋を閉めて暗箱内の温度をマイナス２０度内外の低温とし、低温暗箱内に空気ポンプから空気を吹きこむ。空気中の水蒸気が氷の結晶になって生成浮遊するのを投光器の光をあてて屈折反射させ、観察窓に装着した拡大鏡を通してきらきら光るダイヤモンドダストを生成観察する構成とした。
【発明の効果】
【０００５】  ダイヤモンドダストが観察されるのは零下２０度にもなる寒冷の地で見られる気象現象で、北海道中央地域の厳冬期，マイナス２０度付近の低温下、太陽光のよくあたる気象条件好適時に発現する。アラスカで冬に自動車の排気ガスがダイヤモンドダストを生成して走行していることもよく知られている。温暖の地の室内で発泡スチロール箱のような安価な素材、操作も容易な器具、装置でダイヤモンドダストを生成観察することが可能になった。【０００６】    観察用窓に拡大鏡を装置したことによってダイヤモンドダスト氷晶片を拡大し其の美しさを強調することが出来た。
【発明を実施するための最良の形態】
【０００７】  ダイヤモンドダスト生成観察する課題解決のための最良の形態を図示を以って説明する。ダイヤモンドダスト生成観察する最良の形態は、内面つや消し黒色断熱素材の暗箱１及び裏面つや消し黒色断熱素材の蓋７と、暗箱内部に黒色金網１０と金網を固定する張り出し１２とで、ドライアイスを収容する部１３を設け、暗箱側面に投光器設置用開口部２を設けた。蓋７には空気ポンプ５からの空気吹き込み用の孔８と観察用窓６を設けてある。暗箱の開口部に暗箱内に光を投ずる投光器４を装着し、暗箱１のドライアイス収容部１３にドライアイス１１を収容し蓋７を閉めて箱内温度をマイナス２０度内外の低温にする。このときドライアイス面に少量のメタノール或いはエタノールをふりかけて寒剤となし冷却時間を短縮するとよい。暗箱内がこの温度に下がったのを温度計で確認し空気吹き込み口孔８から空気ポンプ５で箱内に空気を吹き入れる。空気ポンプ５の空気吹き出し口直径は２ミリメートルか３ミリメートルの細孔にしてある。暗箱内に細孔から吹き込まれた空気は断熱膨張して急激に温度低下が起こり、空気中の水蒸気が氷晶となり、ダイヤモンドダストが生成し浮遊してくる。これを側面の投光器４の光で屈折、反射させ観察窓６に装着した拡大鏡３を通して暗箱内のダイヤモンドダストを観察する。この拡大鏡はダイヤモンドダスト氷晶を拡大して美しさを強調する。
【実施例】
【０００８】  ダイヤモンドダスト生成観察する目的を達成する実施例を説明する。
ダイヤモンドダストがよく観察されるのは北海道中央地区の厳冬期、マイナス２０度付近の低温下、太陽光のよくあたる気象条件好適時に発現する。アラスカで冬に自動車の排気ガスがダイヤモンドダストを生成して走行していることもよく知られている。マイナス２０度内外の暗箱１内に別に備えた空気ポンプ５で幾分加圧された空気を、空気吹き出し口の細い孔より平常気圧暗箱内に圧出する。断熱膨張の理による急激な温度低下現象が空気内の水蒸気に氷の結晶化を起させ、氷晶を浮遊させる。この浮遊氷晶に投光器４の光を当てて反射、屈折の輝きを拡大鏡３を装着した観察窓６から覗く。ダイヤモンドダストの生成観察を可能にした。
【産業上の利用可能性】
【０００９】  学校理科教材、商業上のディスプレイとして利用される。
【図面の簡単な説明】
【００１０】
【図１】ダイヤモンドダスト生成観察器暗箱部、蓋部図、
【図２】ダイヤモンドダスト生成観察器外観図
【符号の説明】
【００１１】１  ダイヤモンドダスト生成観察器暗箱
２  側面の開口部、ダイヤモンドダスト生成観察時は投光器９を装着する
３  拡大鏡
４  投光器
５  空気ポンプ
６  観察用窓
７  暗箱蓋
８  空気吹き込み孔
１０黒色金網
１１ドライアイス
１２金網を固定する張り出し
１３ドライアイス収容部。
【図１】
2009300984.tif 000003
【図２】
2009300984.tif 000004
(57)【要約】      （修正有）【課題】デジタルカメラの普及によって、誰でもが高いレベルでの写真撮影が可能となった。更にプロの領域であった商品撮影の基本照明を備え持ち、高品位の写真撮影を誰もができる装置を開発する。【解決手段】撮影台を、下箱１、上箱２、中箱３のそれぞれに写真照明光としての蛍光灯９、１０、１１を複数配置した、折畳み形態の構造とした。照明光に蛍光灯を活用し、従来の照明設備の問題点を解決した。更に折畳み収納構造とすることで、使い易さを大きくした。【選択図】図１
2009300988.tif 000002
【特許請求の範囲】
【請求項１】
下箱、上箱、中箱のそれぞれに写真照明光としての蛍光灯を複数配置した、折畳み形態の構造を持つ撮影台。
【発明の詳細な説明】
【技術分野】
【０００１】  本発明は、写真撮影における被写体を置く撮影台と、照明器具としての蛍光灯を一体化した装置に関する。そして、この装置は、折畳み形態の構造を成し、折畳み収納できることを特長とする。
【背景技術】
【０００２】  従来、商品等の写真撮影において被写体を置く台と照明器具とは別々の構造体で、被写体の照明に使用する複数の照明器具は、個々に三脚などにより設置するので、電気配線コードを含めた器物が煩雑に配置され、撮影作業に支障をきたす事が多い。
他方、デジタルカメラの普及は、写真撮影時の光源の種類に対して色補正が容易になった。取分け銀塩写真に於いて、演色性、色再現性の悪かった蛍光灯を光源としての撮影が可能となった。写真撮影用照明光として蛍光灯の使用は、多くの利点を得ることができる。
【発明の開示】
【課題を解決しようとする手段】
【０００３】商品撮影に於ける照明は、通常白熱電球かストロボによる場合が多い。前者は（１）発熱量が大きい。（２）消費電力が大きい。（３）寿命が短い。（４）破損しやすい（５）形状が大きい。
後者は、（１）高価。（２）形状が大きい。（３）専門的知識が必要。
そして両者とも、拡散光を得る為には大きな拡散板が必要であるなどの欠点を持つ。
本発明では、上記欠点の解消として、照明光として蛍光灯を使用した。
【発明が解決しようとする課題】
【０００４】  次の点を課題とした。
１）写真撮影台として、任意の場所に容易に設置できる。
２）照明装置の電源コードによる煩雑さを無くす。
３）折畳み持ち運び出来る構造物とする。
４）長寿命、省エネ化を考慮する。
５）光質が散乱光であること。
【発明の効果】
【０００５】  本発明では、撮影に必要な基本的照明として、予め下方、背面、上方、前方の複数の蛍光灯光源を折畳みできる構造をもつケース内に設置し、開き組み立てることで、通常の撮影条件を満たす写真撮影台を成すことができるようにした。また、各々の光源は、スイッチにより個々に点滅することができ、照明効果を任意に調整することができる。
特に、照明用光源に蛍光灯を使用し、折畳み収納することのできる構造設計とした。
本発明により、次のような効果を得ることができた。
（１）照明装置を含めた撮影条件を満たす撮影台を、簡単に設置できる。
（２）光源用電源線は、一本で煩雑さがない。
（３）折畳み収納できる。
（４）長寿命、低消費電力の省エネ型。
（５）拡散光を容易に得られる。
【発明を実施するための最良の形態】
【０００６】  本発明の装置を図１について説明すると、下箱１、上箱２、および中箱３より構成される。
各々の箱には、複数の蛍光灯が取付けられている。
下箱１には、撮影台となる半透明天板と蛍光灯を点灯するためのインバータ及び各々の蛍光灯を点滅するためのスイッチが取付けられている。
下箱１と上箱２は、支点４により開閉でき、ステー６により定位置で支持される。上箱２と中箱３は、支点５により開閉でき、ステー７により支持される。
撮影条件により、背景紙を設置できる。
各蛍光灯は、スイッチ１３により個々に点灯できるので、照明条件を変えることができる。全ての蛍光灯の電源は、１本の電源線により供給できるよう配線されている。
図２は、下箱１、上箱２、と中箱３を、折畳み収納したときの構造断面図である。
【産業上の利用可能性】
【０００８】    １）照明設備を配置した撮影台を小スペースで設置できる。
２）製造現場などで、部品製造記録撮影が手軽にできる。
３）照明光源の寿命、消費電力量等、省エネ対策としての効果が大きい。
４）光源の発熱が少なく、配線による危険性が無いので簡単に使用できる。
５）設置スペース、収納スペースが小さい。
【図面の簡単な説明】
【０００９】
【図１】本装置の設置時の外観俯瞰図
【図２】本装置の収納時の構造断面図
【符号の説明】
【００１０】１．下箱  ２．上箱  ３．中箱  ４．支点  ５．支点  ６．ステー  ７．ステー  ８．窓  ９．蛍光灯  １０．蛍光灯  １１．蛍光灯  １２．インバイタ  １３．スイッチ  １４電源プラグ  １５．半透明天板  １６．背景紙
【図１】
2009300988.tif 000003
【図２】
2009300988.tif 000004
(57)【要約】【課題】    空間映像装置において、像の大きさの変化を伴わずに空間像位置を前後に移動できるようにすること。【解決手段】    ２つの凸レンズを用い、物体側レンズを画像表示器よりその焦点距離だけ離して設置し、像側レンズは物体側レンズから両レンズ焦点距離の合計分離れた点を基準として前後に移動する。【選択図】図１
2009300987.tif 000002
【特許請求の範囲】
【請求項１】
物体側レンズ２をその焦点距離相当分、画像表示器１から離して設置し、そこから物体側レンズと像側レンズの焦点距離の合計分離れた位置を基準として、その前後方向に像側レンズ３を動かすことによって、空間像６をその大きさをほぼ一定に保ちながら光軸方向に前後移動することを可能にした像移動空間映像装置。
【請求項２】
画像表示器１から結像レンズ１１までの距離を変化させ、空間像位置を光軸方向に移動させるに伴って発生する像寸法の変化を補償するため、画像処理装置１７によって画像表示器１に入力する映像信号の画像の大きさを、移動量による像寸法変化の逆数となるパラメータで変化させることで、空間像１２をその大きさをほぼ一定に保ちながら光軸方向に前後移動することを可能にした像移動空間映像装置。
【請求項３】
請求項１については両方もしくは片方のレンズを、請求項２においては結像レンズを、それぞれ凹面鏡に置き換えた像移動空間映像装置。
【発明の詳細な説明】
【技術分野】
【０００１】    本発明は、空間に映像を表示する装置に関するものである。
【背景技術】
【０００２】    従来から映像を空間に表示する装置は、博物館展示や店舗装飾に用いられている。（文献１参照）
【非特許文献１】    日本工業出版「画像ラボ」２００５年５月Ｐ１１〜１４
【発明の開示】
【発明が解決しようとする課題】
【０００３】    以上に述べた従来の空間映像表示装置では、空間に表示される映像の光軸方向の位置は固定であり、位置を変えようとすると像の大きさが大幅に変化し実用にならなかった。【０００４】    本発明は、従来の装置の欠点を解決し、映像の大きさをほとんど変えずに位置の前後移動を可能にし、よりリアルでダイナミックな空間映像表示を実現することを目的とする。
【課題を解決するための手段】
【０００５】    本発明は、第一の手段として上記目的を達成するため、２枚のレンズの組み合わせにより、組み合わせレンズの全長、すなわち２枚のレンズの間隔を変化させても像側レンズから空間像までの距離がほとんど変化しない結像光学系を構成する。【０００６】    前項の光学系を用い、画像表示器と物体側レンズの距離を一定に保ち、物体側レンズと像側レンズの距離を変化させると、観察者の視点から像が前後に移動していることが見える。【０００７】    また、第二の手段としては従来の光学系により、レンズと画像表示器の距離を変化させ像位置を前後に移動する。この際起きる像の大きさの変化を、画像処理装置でその変化を打ち消す方向でリアルタイムに補正し、一定に保つ。
【発明の効果】
【０００８】    本発明により、空間映像を像の大きさの変化を伴わず前後方向にも移動できるようになり、あたかも空間を実際の物体が飛びまわるようなダイナミックな映像表示が可能になり、展示効果が向上する。
【発明を実施するための最良の形態】
【０００９】    結像光学系を２枚の凸レンズにより構成する。レンズは従来のレンズでも良いが、フレネルレンズを用いると大口径を軽量に実現できる。【００１０】    画像表示器１と物体側レンズ２の距離は物体側レンズ２の焦点距離と同等とする。像側レンズ３は移動台４に搭載し、電動アクチュエーター５等で光軸方向に前後移動する。【００１１】    前項に構成により、物体側レンズ２による像の位置は概略無限遠となり、光束は平行であるアフォーカルの光学系となるので、像側レンズ３により結像した空間像６の位置は、像側レンズ３が移動しても移動が一定の範囲内なら、像側レンズ３からほぼ一定のところにありまた、光学系の結像倍率はほぼ像側レンズ３の焦点距離に対する物体側レンズ２の焦点距離の比となり一定である。【００１２】    いま、画像表示器１と物体側レンズ２の位置を固定とし、像側レンズ３を光軸方向に移動すると、空間像６の位置は像側レンズ３の移動とほぼ同じ量で移動し、観察者の視点７からは、空間像６が自分に対して前後移動するのが見える。【００１３】    像側レンズ３は、物体側レンズ２から両レンズ焦点距離の合計だけ離れた位置を基準としてその前後に動かすようにすると、空間像６の大きさの変化が少なく、画質も良好である。【００１４】    なお、図２のようにミラー８で光路を曲げ、筐体９に収納するとコンパクトで使いやすくなる。【００１５】    上記０００９項から００１４項の形態と別の方式として、画像表示器１と結像レンズ１１の距離を変化させて、空間像１２の結像位置を移動させる方法がある。【００１６】    ００１５項の方式については、例えば図３のように移動すると、移動前の空間像１２は１３に移動し、大きさは像側の距離÷物体側の距離で表される倍率となるので大幅に拡大する。【００１７】    そこで制御装置１６からの移動量信号に基づき、画像処理装置１７にて、画像表示器１に表示される元の画像１０の大きさを、００１５項に基づく空間像１２から１３への変化率と逆比のパラメータで１４のように補正すれば制御可能範囲では、空間像１２の位置が１３に変わってもその大きさは１５のように一定に保たれる。【００１８】    上記０００９項から０００５項のレンズはいずれも凹面鏡に換えることが可能である。
【産業上の利用可能性】
【００１９】    本発明の装置を商品紹介等に用いると、空間に実際に商品が浮遊するように見え広告効果が増す。また、人物やキャラクターを表示すると、従来にない空間上の前後の動きが加わり、リアリティが高まりアイキャッチ媒体として大きな効果が得られる。
【図面の簡単な説明】
【００２０】
【図１】    本発明の装置の組み合わせレンズを使う方式の構成図である。
【図２】    図１の光学系を筐体に収納した構成図である。
【図３】    本発明の装置の画像処理装置を使う方式の構成図である。
【符号の説明】
【００２１】    １．  画像表示器
２．  物体側レンズ
３．  像側レンズ
４．  移動台
５．  電動アクチュエーター
６．  空間像
７．  観察者の視点
８．  ミラー
９．  筐体
１０．  表示される元の画像
１１．  結像レンズ
１２．  移動前の空間像
１３．  移動後の空間像
１４．  補正された画像
１５．  補正された空間像
１６．  制御装置
１７．  画像処理装置
【図１】
2009300987.tif 000003
【図２】
2009300987.tif 000004
【図３】
2009300987.tif 000005
(57)【要約】【課題】カップ麺を茹でる際に蓋を押さえ、時間を計測する砂時計をコンパクトなサイズで実現する。【解決手段】砂時計にカップ麺の蓋の外周部分の一部を押さえる腕木状の板を追加し、カップ麺の横又は上に置いて使用する。【選択図】図２
2009300409.tif 000002
【特許請求の範囲】
【請求項１】
使用時にカップ麺の横に置かれ、砂時計か支柱のどちらか、又は両方にはめ込れて上下にスライドする腕木状の板が、カップ麺の蓋を押さえることを特徴とする砂時計。
【発明の詳細な説明】
【技術分野】
【０００１】本発明はカップ麺に湯を注ぎ、麺を茹でる際に蓋がめくれるのを押さえると同時に、茹で上がりの時間を計る砂時計に関するものである。
【背景技術】
【０００２】
【特許文献１】特開２０００−６９９２４
【特許文献２】実用新案登録第３１０３４９７号
【特許文献３】実開平６−８６０９６
【特許文献４】実用新案出願公開  昭和６２−１３２９３５
【発明が解決しようとする課題】
【０００３】従来  カップ麺を茹でるには蓋の一部を剥がし、湯を注いで３分から５分程度待つが、その際蓋がめくれて熱気が逃げたり、時間が短すぎたり、長すぎたりして良好な茹で具合を得られないことがよくあった。
これを防ぐために前記文献１〜４の一部はすでに実用化されているが、いずれもカップ麺の蓋全体を覆うため形状が大きく、また砂時計を正確に１８０度回転させ、かつ固定するために構造も複雑でコスト高であった。
【課題を解決するための手段】
【０００４】これを解決するために、本発明は通常の砂時計にカップ麺の蓋の外周部分の１／３程度を押さえる腕木状の板１枚を追加するのみで構成し、カップ麺の上部ではなく横に置いて使用する。
時間を計る際は通常の砂時計と同様に、単純に天地を逆転させて行う。
【発明を実施するための形態】
【０００５】以下に図面と共に実施の形態を説明する。
図１は本体の斜視図で、カップ麺の蓋の外周部分の１／３程度のサイズの腕木状の板１には穴が明けられて砂時計２、支柱３のどちらか、又は両方にはめ込まれている。この穴は支柱などより一回り大きく、腕木状の板１は天板４にぶつかるまで自由に上下にスライドする。
【０００６】図２及び図３は平型のカップ麺での使用例を表し、本体はカップ麺の横の机上に自立しており、腕木状の板１は本体によって位置決めされ、自重により蓋を押さえつける。
図４及び図５は縦型のカップ麺での使用例を表し、本体は腕木状の板１と一緒にカップ麺に懸下していて、下側の天板４がカップ麺の横に当たることにより、回転して落下するのを止めている。
なお計時は通常の砂時計と同様に砂の落下によって行う。
【発明の効果】
【０００８】以上の様な構成によりコンパクトなサイズで、カップ麺の良好な茹で上がりを実現する事ができる。
【図面の簡単な説明】
【図１】本発明に係るカップ麺の蓋押さえアーム付き砂時計の斜視図
【図２】平型のカップ麺での使用例を表す斜視図
【図３】平型のカップ麺での使用例を表す側面図
【図４】縦型のカップ麺での使用例を表す斜視図
【図５】縦型のカップ麺での使用例を表す側面図
【符号の説明】
１        腕木状の板
２        砂時計
３        支柱
４        天板
【図１】
2009300409.tif 000003
【図２】
2009300409.tif 000004
【図３】
2009300409.tif 000005
【図４】
2009300409.tif 000006
【図５】
2009300409.tif 000007
【手続補正書】
【提出日】平成20年6月16日(2008.6.16)
【手続補正１】
【補正対象書類名】特許請求の範囲
【補正対象項目名】全文
【補正方法】変更
【補正の内容】
【特許請求の範囲】
【請求項１】
使用時にカップ麺の横に置かれ、砂時計か支柱のどちらか、又は両方にはめ込れて上下にスライドする腕木状の板が、カップ麺の蓋を押さえることを特徴とする砂時計。
【請求項２】
使用時にカップ麺の上に置かれ、砂時計か支柱のどちらか、又は両方にはめ込れて上下にスライドする腕木状の板が、カップ麺の蓋を押さえることを特徴とする砂時計。
【手続補正２】
【補正対象書類名】明細書
【補正対象項目名】０００４
【補正方法】変更
【補正の内容】
【０００４】これを解決するために、本発明は通常の砂時計にカップ麺の蓋の外周部分の１／３程度を押さえる腕木状の板１枚を追加するのみで構成し、カップ麺の横、又は上に置いて使用する。
時間を計る際は通常の砂時計と同様に、単純に天地を逆転させて行う。
【手続補正３】
【補正対象書類名】明細書
【補正対象項目名】０００７
【補正方法】変更
【補正の内容】
【０００７】
図６は請求項２の本体の斜視図で、構成は前記請求項１の物と同じだが、蓋の外形に合わせて、腕木状の板１と天板４の外周形状が一部異なる。
又、図７の本体の断面図に示す様に、腕木状の板１は天板４と底面が同一になる様に段差が設けられている。
図８は請求項２の平型及び縦型のカップ麺での使用例を表し、本体はカップ麺の蓋の上に自立しており、腕木状の板１は本体によって位置決めされ、天板４と共に自重により蓋を押さえつける。
なお計時はいずれの場合も通常の砂時計と同様に砂の落下によって行う。
【発明の効果】
【手続補正４】
【補正対象書類名】明細書
【補正対象項目名】０００８
【補正方法】変更
【補正の内容】
【０００８】
以上の様な構成によりコンパクトなサイズで、カップ麺の良好な茹で上がりを実現する事ができる。
【図面の簡単な説明】
【図１】請求項１に係るカップ麺の蓋押さえアーム付き砂時計の斜視図
【図２】請求項１の平型のカップ麺での使用例を表す斜視図
【図３】請求項１の平型のカップ麺での使用例を表す側面図
【図４】請求項１の縦型のカップ麺での使用例を表す斜視図
【図５】請求項１の縦型のカップ麺での使用例を表す側面図
【図６】請求項２に係るカップ麺の蓋押さえアーム付き砂時計の斜視図
【図７】請求項２の本体の中央断面図
【図８】請求項２の平型及び縦型のカップ麺での使用例を表す斜視図
【符号の説明】
１        腕木状の板
２        砂時計
３        支柱
４        天板
【手続補正５】
【補正対象書類名】図面
【補正対象項目名】図６
【補正方法】追加
【補正の内容】
【図６】
2009300409.tif 000008
【手続補正６】
【補正対象書類名】図面
【補正対象項目名】図７
【補正方法】追加
【補正の内容】
【図７】
2009300409.tif 000009
【手続補正７】
【補正対象書類名】図面
【補正対象項目名】図８
【補正方法】追加
【補正の内容】
【図８】
2009300409.tif 000010
(57)【要約】【課題】  表示パネルの前面側に指針を設け、デザイン性及び高級感を高めた指示計器装置を提供する。【解決手段】  表示パネル４は、車両情報を表示する。指針６は、表示パネル４の前面側に設けられる。指針支持板５は、指針６を回動可能に支持する。指針駆動手段８は、表示パネル４の後面側に設けられ、指針６を回動させる。発光素子１２は、指針支持板５に設けられ、指針６を照明する。発光素子駆動手段１６は、発光素子１２を駆動する。発光素子１２に電力を供給する透明電極１３，１４を前記指針支持板５に形成する。【選択図】  図１
2009300080.tif 000002
【特許請求の範囲】
【請求項１】
車両情報を表示する表示パネルと、前記表示パネルの前面側に設けられた指針と、前記指針を回動可能に支持する指針支持板と、前記表示パネルの後面側に設けられ前記指針を回動させる指針駆動手段と、前記指針支持板に設けられ前記指針を照明する発光素子と、前記発光素子を駆動する発光素子駆動手段と、を有することを特徴とする指示計器装置。
【請求項２】
前記発光素子に電力を供給する透明電極を前記指針支持板に形成してなることを特徴とする請求項１に記載の指示計器装置。
【発明の詳細な説明】
【技術分野】
【０００１】
本発明は、車両情報を表示する表示パネルを備えると共に、指針にて指標部を指示する指示計器装置に関するものである。
【背景技術】
【０００２】
従来より、液晶表示パネル等の表示パネルを備えた指示計器装置が種々提案されており、例えば特許文献１に開示されている。斯かる指示計器装置は、液晶表示パネルの前面側に透光性材質からなる装飾リングを配置し、液晶表示パネルの画面から出射される光により装飾リングを透過照明するものである。この指示計器装置は、装飾リングが液晶表示パネルの画面よりも車両運転者側に突出しているため、液晶表示パネルの画面が立体的に視認され、立体感が強調され且つ斬新な見映えになる。
【特許文献１】特開２００６−２０１０３８号公報
【発明の開示】
【発明が解決しようとする課題】
【０００３】
しかしながら、前述した指示計器装置は、車両速度及びエンジン回転数を液晶表示パネルにて表示しているだけであり、指示計器装置としてのデザイン性や高級感に欠けているという問題がある。
本発明は、この問題に鑑みなされたものであり、表示パネルの前面側に指針を設け、デザイン性及び高級感を高めた指示計器装置を提供するものである。
【課題を解決するための手段】
【０００４】
本発明は、請求項１に記載したように、車両情報を表示する表示パネル４と、前記表示パネル４の前面側に設けられた指針６と、前記指針６を回動可能に支持する指針支持板５と、前記表示パネル４の後面側に設けられ前記指針６を回動させる指針駆動手段８と、前記指針支持板５に設けられ前記指針６を照明する発光素子１２と、前記発光素子１２を駆動する発光素子駆動手段１６と、を有するものである。
【０００５】
また、本発明は、請求項２に記載したように、前記発光素子１２に電力を供給する透明電極１３，１４を前記指針支持板５に形成してなるものである。
【発明の効果】
【０００６】
表示パネルとは別体の指針支持板と、指針を照明する発光素子とを設けたことにより、指示計器装置のデザイン性及び見栄えを向上させることができる。
【発明を実施するための最良の形態】
【０００７】
以下、添付の図面に基づいて、本発明の一実施形態である指示計器装置１について説明する。
指示計器装置１は、車両のダッシュボードに搭載されるコンビネーションメータからなるものであり、計器ケース２と、回路基板３と、液晶表示パネル４と、指針支持板５と、指針６等から構成されている。
【０００８】
回路基板３は、計器ケース２に収容されており、液晶表示パネル４を駆動する回路素子が搭載されている。液晶表示パネル４は、ＳＴＮ（Super Twisted Nematic），ＴＮ（Twisted Nematic），ＴＦＴ（Thin Film Transistor）等からなり、目盛り４１ａ，数字４１ｂを画面４１に表示する。また、液晶表示パネル４は、様々な車両情報（外気温情報，走行距離情報，燃費情報，ナビゲーション情報，交通情報）を表示可能である。
【０００９】
指針支持板５は、液晶表示パネル４の前面側に配設され、指針６を回動可能に支持している。指針６は、液晶表示パネル４に表示された目盛り４１ａ，数字４１ｂを指示する。光源７は、発光ダイオードからなるものであり、液晶表示パネル４の後面側に配設され、液晶表示パネルを透過照明する。指針駆動モータ８は、回路基板３に実装され、指針６を回動させる。
【００１０】
第一磁石９は、指針駆動モータ８の回動軸に装着され、指針駆動モータ８の回動軸と共に回動する。第二磁石１０は、指針軸に装着され、第一磁石９と磁気的に結合し、第一磁石９と共に回動する。指針用光源基板１１は、指針支持板５の上部に配設されており、この指針用光源基板１１に発光素子１２が実装されている。発光素子１２は、指針６に照明光を照射して、指針６を光輝させる。
【００１１】
透明電極１３は、指針支持板５の前面に塗布され、発光素子１２の陽極に導通している。透明電極１４は、指針支持板５の後面に塗布され、発光素子１２の陰極に導通している。配線１５ａ，１５ｂ，１５ｃ，１５ｄは、各々、透明電極１３と回路基板３、透明電極１３と発光素子１２、透明電極１３と透明電極１４、透明電極１４と回路基板３を電気的に接続している。発光素子１２を駆動する駆動回路１６は、回路基板３に搭載されている。
【００１２】
図４は、発光素子１２の回路図である。発光素子１２を駆動する電力は、回路基板３から供給され、発光素子１２を駆動する回路信号線は透明電極１３，１４，配線１５ａ，１５ｂ，１５ｃ，１５ｄから構成されている。
【００１３】
本実施形態によれば、液晶表示パネル４とは別体の指針支持板５と、指針６を照明する発光素子１２とを設け、指示計器装置１のデザイン性及び見栄えを向上させることができる。
【図面の簡単な説明】
【００１４】
【図１】本発明の実施形態を示す正面図。
【図２】同上実施形態を示す断面図。
【図３】同上実施形態を示す電気構成図。
【図４】同上実施形態を示す回路図。
【符号の説明】
【００１５】
４  液晶表示パネル（表示パネル）
５  指針支持板
６  指針
８  指針駆動モータ（指針駆動手段）
１２  発光素子
１３  透明電極
１４  透明電極
１６  駆動回路（発光素子駆動手段）
【図１】
2009300080.tif 000003
【図２】
2009300080.tif 000004
【図３】
2009300080.tif 000005
【図４】
2009300080.tif 000006